(57)【要約】  【課題】正確な転写を簡便に実現し得る転写具を提供する。  【解決手段】紙Ｐなどの転写対象物に転写し得る転写物たる修正剤ｓをテープｔの表面側に設けた修正テープＴを収容する転写具本体１と、当該転写具本体１に収容されたテープｔを表出させ修正剤ｓをテープｔに転写し得る転写端４０ａを構成するヘッド本体４０、そしてこのヘッド本体４０から垂直に起立し転写具本体１から転写端４０ａに至るまでの修正テープＴの幅方向の移動を規制し得るガイド壁４１、及びヘッド本体４０並びにガイド壁４１に連続し修正テープＴを当該ガイド壁４１を越えて幅方向に案内し得る傾斜案内面４２を有する転写ヘッド４とを少なくとも具備する転写具Ａである。  【選択図】図４
2008162050.tif 000002
【特許請求の範囲】
【請求項１】
紙などの転写対象物に転写し得る転写物をテープの表面側に設けた転写テープを収容する転写具本体と、
当該転写具本体に収容されたテープを表出させ先端側において前記転写物を転写対象物に転写し得る転写端を構成するヘッド本体、当該ヘッド本体から垂直に起立し前記転写具本体から前記転写端に至るまでの前記転写テープの幅方向の移動を規制し得るガイド壁、及び前記ヘッド本体並びに前記ガイド壁に連続し前記転写テープを当該ガイド壁を越えて幅方向に案内し得る傾斜案内面を有する転写ヘッドとを少なくとも具備することを特徴とする転写具。
【請求項２】
前記傾斜案内面の幅寸法を、前記転写端へ向かって漸次大きく設定するものとしている請求項１記載の転写具。
【請求項３】
前記傾斜案内面が前記ヘッド本体から起立する起立寸法を、前記転写ヘッドの幅方向両端へ向かって漸次大きく設定するものとしている請求項１又は２記載の転写具。
【請求項４】
前記傾斜案内面を、凹状に湾曲させた湾曲面としている請求項１、２又は３記載の転写具。
【請求項５】
前記傾斜案内面を、凸状に湾曲させた湾曲面としている請求項１、２又は３記載の転写具。
【請求項６】
紙などの転写対象物に転写し得る転写物をテープの表面側に設けた転写テープを収容する転写具本体と、
当該転写具本体に収容されたテープを表出させ先端側において前記転写物を転写対象物に転写し得る転写端を構成するヘッド本体、当該ヘッド本体から垂直に起立し前記転写具本体から前記転写端に至るまでの前記転写テープの幅方向の移動を規制し得るガイド壁、及び前記転写テープの裏面側から前記ガイド壁に連続し前記転写テープの幅方向の移動を前記ガイド壁を越えて案内し得る助長面を有する転写ヘッドとを少なくとも具備することを特徴とする転写具。
【請求項７】
前記助長面が前記転写テープの裏面側を支持する寸法を、前記転写具本体側から前記転写端側に至るまで漸次大きく設定するものとしている請求項６記載の転写具。
【請求項８】
前記助長面を、前記転写テープの裏面側を支持し前記転写端側を底辺とする平面視三角形状の迫出し縁を形成するものとしている請求項７記載の転写具。
【請求項９】
前記助長面を、凹状に湾曲させた湾曲面としている請求項６、７又は８記載の転写具。
【請求項１０】
前記助長面を、凸状に湾曲させた湾曲面としている請求項６、７又は８記載の転写具。
【請求項１１】
前記ガイド壁を、前記転写具本体から前記転写端に至るまで起立寸法を漸次低く形成している請求項１、２、３、４、５、６、７、８、９又は１０記載の転写具。
【請求項１２】
前記転写具本体を、前記転写端を通過した前記テープを収容し得るテープ収容部を有するものとし、
前記転写ヘッドを、前記転写端から前記転写具本体に至るまでの前記転写テープの幅方向の移動を規制し得る収容ガイド部を有するものとしている請求項１、２、３、４、５、６、７、８、９、１０又は１１記載の転写具。
【請求項１３】
前記転写具本体を、前記転写ヘッドに至るまでの前記転写テープを所定角度旋回保持し得る旋回支持部を有するものとしている請求項１、２、３、４、５、６、７、８、９、１０、１１又は１２記載の転写具。
【請求項１４】
前記旋回支持部を、前記転写テープを９０°旋回させ得るものとしている請求項１３記載の転写具。
【請求項１５】
前記転写テープを、前記テープの表面側に修正剤を設けた修正テープとしている請求項１、２、３、４、５、６、７、８、９又は１０記載の転写具。
【発明の詳細な説明】
【技術分野】
【０００１】
本発明は、修正剤や糊などの転写物を紙などの転写対象物に転写する転写具に関するものである。
【背景技術】
【０００２】
従来、例えば粘着剤や修正剤などの転写物を付着させた転写テープを巻回した状態で筐体内に内蔵し、転写ヘッドの位置で転写物を露出させ、その露出した部分を紙などの転写対象物に接した状態で、転写ヘッドを移動させることによって、転写物を好適に転写対象物へと転写し得る転写具が多数開発されている。
【０００３】
これらのものは、転写具を、筐体から露出させた転写テープが延びる方向に沿って筐体を移動させることにより、転写物を真っ直ぐに転写対象物へと転写し得るものとなっている。また、転写テープを転写させる転写ヘッドの転写端に至るまでの領域にテープを案内するガイド手段を設けない構成としたり、ガイド手段を傾斜させたり湾曲させたりすることにより、転写時にテープの幅方向への移動を許容し得る転写具もまた考案されている（例えば、特許文献１参照）。
【特許文献１】特開２００４−１７４８７１号公報
【発明の開示】
【発明が解決しようとする課題】
【０００４】
しかしながら、正確に所定方向に直線状に転写しようとしても、実際には使用者の手首や肘、或いは指の関節の動き等により、若干曲がったりずれたりしながら転写具を移動させることとなる。そのような場合、曲りやずれが大きいものとなるとテープのずれが転写の際の皺やねじれを招来し、転写物の一部又は全部が転写されないことから転写物がテープの形状通りに転写されないこととなってしまう。
【０００５】
ここで図１５に、従来の転写具において、転写具本体に取り付けられている転写ヘッドＨを採用した場合を模式的に示す。斯かる転写ヘッドＨは、転写具本体１に取り付けられて転写テープの一例である修正テープＴを支持し、ヘッド本体Ｈ１０の転写端Ｈ１０ａにおいて修正剤ｓを転写するものである。正常な転写方向から、手指等の動作によって幅方向にずれて転写された場合、転写テープＴが幅方向に移動してヘッド本体Ｈ１０から起立する図示のガイド壁Ｈ１１や、図示しない転写具本体に干渉されることにより、転写テープＴにおいて修正剤ｓを支持しているテープｔに上述の皺やねじれが生じてしまう。すると、図示のように転写テープＴの何れかの端部が平面視一部欠落した状態を構成してしまうこととなる。そしてこのような場合修正剤ｓは所望の箇所に正確に塗布されずに一部欠落した形状で塗布されてしまうため、使用者は再び転写具を慎重に取扱いながら転写作業をやり直すなどという余分な作業を強いられてしまう。
【０００６】
他方、転写物が粘着剤の場合は十分量の粘着剤が転写されず、転写対象物を確実に止着出来ないといったことが起こり得るものとなっている。
【０００７】
また、特許文献１に記載の転写具にいたっては転写方向に沿ったガイド手段自体がテープの幅方向への移動を許容したものである場合、ある程度はテープの皺やねじれが回避されるものの、テープがすぐにずれるかヘッドから外れてしまい、使用者は常に慎重さをもって転写具を転写しなければならない。
【０００８】
本発明は、このような不具合に着目したものであり、正確な転写を簡便に実現し得る転写具を提供する。
【課題を解決するための手段】
【０００９】
本発明は、このような目的を達成するために、次のような手段を講じたものである。すなわち、本発明に係る転写具は、紙などの転写対象物に転写し得る転写物をテープの表面側に設けた転写テープを収容する転写具本体と、当該転写具本体に収容されたテープを表出させ先端側において前記転写物を転写対象物に転写し得る転写端を構成するヘッド本体、当該ヘッド本体から垂直に起立し前記転写具本体から前記転写端に至るまでの前記転写テープの幅方向の移動を規制し得るガイド壁、及び前記ヘッド本体並びに前記ガイド壁に連続し前記テープを当該ガイド壁を越えて幅方向に案内し得る傾斜案内面を有する転写ヘッドとを少なくとも具備することを特徴とするものである。
【００１０】
また本発明に係る転写具は、紙などの転写対象物に転写し得る転写物をテープの表面側に設けた転写テープを収容する転写具本体と、当該転写具本体に収容されたテープを表出させ先端側において前記転写物を転写対象物に転写し得る転写端を構成するヘッド本体、当該ヘッド本体から垂直に起立し前記転写具本体から前記転写端に至るまでの前記転写テープの幅方向の移動を規制し得るガイド壁、及び前記転写テープの裏面側から前記ガイド壁に連続し前記転写テープの幅方向の移動を前記ガイド壁を越えて案内し得る助長面を有する転写ヘッドとを少なくとも具備することを特徴とするものである。
【００１１】
これらのようなものであれば、使用者が転写する動作を行う際の軽微なずれや曲りはガイド壁にテープの側端を当接させて安定して転写具の動きを誘導するとともに、一定以上のずれや曲りが生じた場合にはテープを傾斜案内面或いは助長面へ一時的に案内することにより、転写物がずれた形で転写されたり、テープ自体に皺を生じた状態で転写したりといったことを有効に回避することができる。
【００１２】
転写テープの幅方向への移動をより好適に案内するための構成としては、傾斜案内面を採用する態様の場合、傾斜案内面の幅寸法を、前記転写端へ向かって漸次大きく設定する構成を挙げることができる。加えて、ヘッド本体から起立する起立寸法を、転写ヘッドの幅方向両端へ向かって漸次大きく設定する構成や、凹状或いは凸状に湾曲、すなわち陥没或いは隆起させた湾曲面とする構成を挙げることができる。
【００１３】
他方、助長面を採用する態様の場合、転写テープの幅方向への移動をより好適に案内するための構成として、助長面が転写テープの裏面側を支持する寸法を、転写具本体側から転写端側に至るまで漸次大きく設定する構成を挙げることができる。具体的には、斯かる助長面を、前記転写テープの裏面側を支持し前記転写端側を底辺とする平面視三角形状の迫出し縁を形成するものとすることが好ましい。また、助長面を、凹状或いは凸状に湾曲、すなわち陥没或いは隆起させた湾曲面とする構成も挙げることができる。
【００１４】
そして傾斜案内面及び助長面どちらを採用した場合においてもガイド壁を、転写具本体から転写端に至るまで起立寸法を漸次低く形成しているものとすれば、転写端に近接した位置において移動し易い構成として好適に転写テープを案内し得るともに、テープが幅方向へ大きくずれる場合においては転写ヘッドの基端側においてテープを有効にガイドし得るものとなる。
【００１５】
他方、転写具本体を、転写端を通過したテープを収容し得るテープ収容部を有するものとした場合、転写端を通過したテープを再び転写具本体へ正確に収容するための有効な構成として、転写ヘッドを、転写端から転写具本体に至るまでの転写テープの幅方向の移動を規制し得る収容ガイド部を有するものを挙げることができる。
【００１６】
前記転写具本体を、転写ヘッドに至るまでの転写テープを所定角度旋回保持し得る旋回支持部を有する構成を採用している場合には、テープを旋回させているために幅方向への移動の際にテープに皺を生じさせやすいものとなるが、斯かる構成を有する転写具に対しても、本発明に係る転写具は、好適に転写テープの幅方向への移動を案内し得るものとしている。ここで転写具本体内でテープを旋回させ得る角度は限定されるものではなく、例えば手指により転写具本体を掴んだ体勢を考慮して転写ヘッドの向きを設定する事によって転写テープを所定角度旋回させているものや、また、転写ヘッドの角度を旋回可能に構成した態様を有するものにおいても、上述の構成を好適に採用する事が可能である。
【００１７】
特に発明に係る転写具は、斯かる旋回支持部を、転写テープを９０°旋回させ得るものとすることによって、いわゆる横引き式の転写具を好適に構成したものとしている。
【００１８】
そして本発明に係る転写具は、転写テープを、テープの表面側に修正剤を設けた修正テープとすることにより、修正剤を簡便かつ正確に転写することにより、印刷或いは筆記した文字等の修正を好適に行い得る転写具を構成することができる。
【発明の効果】
【００１９】
本発明によれば、転写具を移動させる動作の軽微なずれや曲りはガイド壁にテープの側端を当接させて安定して転写具の動きを正確な方向へ誘導するとともに、一定以上のずれや曲りが生じた場合にはテープを傾斜面へ一時的に案内することにより、転写物がずれた形で転写されたり、テープ自体に皺を生じた状態で転写したりといったことを有効に回避することができる。そうすることにより、転写された転写物に欠けがなく、すなわち欠落部分を生ずることなく、正確な転写を簡便に実現し得る転写具を提供することが可能となる。
【発明を実施するための最良の形態】
【００２０】
＜第一実施形態＞
以下、本発明の第一実施形態について図面を参照して説明する。
【００２１】
本実施形態に係る転写具Ａを図１及び図２に示す。この転写具Ａは、例えば紙などの転写対象物Ｐへ、テープｔの表面側に修正剤ｓを転写する、転写テープである修正テープＴを転写具本体１内に収容・保持しているものである。
【００２２】
またこの転写具Ａは図２に示すように、転写具本体１の厚み方向に対して修正剤ｓが平行に引き出される、いわゆる横引き式のものとなっている。すなわち、転写具本体１を、転写ヘッド４に至るまでの修正テープＴを所定角度である９０°旋回保持、すなわち旋回させた状態で保持し得る旋回支持部１０を構成するものとしている。
【００２３】
ここで、本実施形態に係る転写具Ａは、紙Ｐなどの転写対象物に転写し得る転写物たる修正剤ｓをテープｔの表面側に設けた修正テープＴを収容する転写具本体１と、当該転写具本体１に収容されたテープｔを表出させ修正剤ｓをテープｔに転写し得る転写端４０ａを構成するヘッド本体４０、そしてこのヘッド本体４０から垂直に起立し転写具本体１から転写端４０ａに至るまでの修正テープＴの幅方向の移動を規制し得るガイド壁４１、及びヘッド本体４０並びにガイド壁４１に連続し修正テープＴを当該ガイド壁４１を越えて幅方向に案内し得る傾斜案内面４２を有する転写ヘッド４とを少なくとも具備することを特徴とするものである。
【００２４】
以下、転写具Ａの具体的な構成について詳述する。
【００２５】
転写具本体１は、半割構造をなす支持筐体３１と、カバー筐体３２とを有し、これら支持筐体３１とカバー筐体３２との間に転写ヘッド４を挟み込むとともに、転写物たる修正剤ｓを塗布した状態となっている修正テープＴ、並びに修正剤ｓを転写した後のテープｔをそれぞれ保持している巻回軸部２を有している。そして当該巻回軸部２と転写ヘッド４とによって、転写具本体１内で修正テープを９０°旋回させる旋回支持部１０を構成している。
【００２６】
巻回軸部２は、図２における破線、並びに図３に示すように、修正剤を転写した後のテープを巻回収容し得るテープ収容部たる巻取軸部２１と、修正テープを巻回保持している巻出軸部２４と、これら巻取軸部２１の回転と巻出軸部２４の回転とを連動させるためのベルト２７とを有しているものである。巻取軸部２１は、支持筐体３１に回転可能に支持された巻取コア２３と、巻取コア２３に取り付け且つベルト２７を掛け回した巻取プーリ２２とを有している。ここで、本実施形態では、これら巻取コア２３、巻取プーリ２２とともに回転する巻回した状態にあるテープｔをも含んで、軸芯周りに回転する部分全体を巻取軸部２１と称している。巻出軸部２４は、支持筐体３１に支持された巻出コア２６と、巻出コア２６に取り付けられ且つベルト２７を掛け回した巻出プーリ２５とを主に有している。ここで上述の巻取軸部２１と同じく、本実施形態ではこれら巻出コア２６及び巻出プーリ２５とともに回転する修正テープＴをも含んで、軸芯周りに回転する部分全体を巻出軸部２４と称している。そしてベルト２７は、具体的には巻出プーリ２５及び巻取プーリ２２に架け渡すことによって、巻出軸部２４の回転と、巻取軸部２１の回転とを連動させているものであるが、回転を連動させる手段としては、当該ベルト２７に限られることはなく、他にギアを用いる態様など、既存の種々の構成を採用することができる。
【００２７】
転写ヘッド４は、図３、図４及び図５に示すように、ヘッド本体４０と、ガイド壁４１と、傾斜案内面４２とに加えて、収容ガイド部４３を有している。ヘッド本体４０は、転写具本体１に収容されたテープｔを表出させ先端側に設けた転写端４０ａにおいて修正剤ｓを転写対象物である紙Ｐに転写するものである。そしてヘッド本体４０の両側縁には、基端から先端付近にかけてガイド壁４１を起立させている。ガイド壁４１は、転写端４０ａを構成すると当該ヘッド本体４０から垂直に起立し転写具本体１から転写端４０ａに至るまでの修正テープＴの幅方向の移動を規制しているものである。斯かるガイド壁４１の具体的に説明すると、転写具本体１から転写端４０ａに至るまで起立寸法を漸次低く形成することにより、転写ヘッド４の先端側において、修正テープＴを乗り越え易いものとなっている。そして傾斜案内面４２は、ヘッド本体４０並びにガイド壁４１に連続しテープｔを当該ガイド壁４１を越えて幅方向外側に案内し得るものである。そして具体的には、傾斜案内面４２の幅寸法を、転写端４０ａに近接するに従って大きく設定したものとして、特に転写端４０ａに近接する位置において、転写テープがより移動し易い構成を実現している。さらに詳細には、傾斜案内面４２がヘッド本体４０から突出する起立寸法を、転写ヘッド４の幅方向両端へ向かって大きく設定している。言い換えれば、傾斜案内面４２は転写ヘッド４の幅方向両端に向かってヘッド本体４０から漸次大きく突出する形状をなしている。収容ガイド部４３は、特に図３に示すように、ヘッド本体４０において、ガイド壁４１の裏面側に配置されている。具体的に説明すると、転写端４０ａから転写具本体１に至るまでの修正テープＴの幅方向の移動を規制するためのものである。斯かる収容ガイド部４３により、傾斜案内面４２によって幅方向に修正テープＴが移動した場合であっても、転写後のテープｔが正確に転写具本体１側へ案内され得るものとなっている。
【００２８】
しかして本実施形態に係る転写ヘッド４は上述の通り、ヘッド本体４０並びにガイド壁４１に連続しテープｔを当該ガイド壁４１を越えて幅方向に案内し得る傾斜案内面４２を有している。斯かる転写ヘッド４によって紙Ｐ等に実際に修正剤ｓを転写する態様を、図６において模式的に示す。
【００２９】
まず、図６（ａ）においては、通常の転写動作を示している。この場合、修正テープＴは両端の傾斜案内面４２の間を通過することにより、直線状かつ正常な帯状に転写されている。ここで、同図（ｂ）において、例えば手指の動きや手首のスナップ動作などにより修正剤ｓの転写中に転写具本体１の向きが一方向にゆがんだ場合を示す。このように、修正テープＴは転写ヘッド４における幅方向中央から若干寸法ずれて一方のガイド壁４１へ移動することとなるが、本実施形態では傾斜案内面４２の先端側から修正テープＴが徐々に乗り越えていく事によってガイド壁４１に修正テープＴの側端縁が衝突することを有効に回避している。そうすることにより、修正テープＴには皺はよじれが起こることなく、図示の通り正常すなわち帯状に正確に修正剤ｓを転写し得るものとなっている。勿論、同図（ｃ）において反対方向に転写具本体１の向きがゆがんだ場合であっても同様に、修正剤ｓを正確な帯状に転写し得るものとなっている。なお図示の態様では修正テープＴが傾斜案内面４２にのみ乗り上げた態様を図示しているが、当該傾斜案内面４２はガイド壁４１に連続しているので、修正テープＴはガイド壁４１を乗り越えることも可能である。そしてガイド壁４１を乗り越えたとしても同図に図示した態様と同様に修正剤ｓを正確な帯状に転写し得るものとなっている。
【００３０】
加えて本実施形態の変形例として、図７に示すように、傾斜案内面４２ｒとして、凹状に陥没させながら湾曲させた湾曲面としたものや、図８に示すように、傾斜案内面４２ｒ１として凸状に隆起させながら湾曲させた湾曲面としたものとしても、図６と同様に、好適に修正テープＴを案内することが可能である。
【００３１】
以上のような構成とすることにより、本実施形態に係る転写具は、修正テープＴを収容する転写具本体１と、当該転写具本体１に収容されたテープｔを表出させ先端側において転写物を転写対象物に転写し得る転写端４０ａを構成するヘッド本体４０と当該ヘッド本体４０から垂直に起立し転写具本体１から転写端４０ａに至るまでの修正テープＴの幅方向の移動を規制し得るガイド壁４１、及びヘッド本体４０並びにガイド壁４１に連続しテープｔを当該ガイド壁４１を越えて幅方向に案内し得る傾斜案内面４２を有する転写ヘッド４とを少なくとも具備することを特徴とするものである。
【００３２】
斯かる構成により、使用者が転写する動作を行う際の軽微なずれや曲りはガイド壁４１にテープｔの側端を当接させて安定して転写具の動きを誘導するとともに、一定以上のずれや曲りが生じた場合にはテープｔを傾斜案内面４２へ一時的に案内することにより、修正剤ｓがずれた状態や不規則にゆがんだ形状に転写されたり、テープｔ自体に皺を生じた状態で転写したりといったことを有効に回避している。
【００３３】
そして、修正テープＴの幅方向への移動をより好適に案内するために、本実施形態では、傾斜案内面４２の幅寸法を、転写端４０ａに近接するに従って大きく設定したり、ヘッド本体４０から起立する起立寸法を、転写ヘッド４の幅方向両端へ向かって大きく設定する構成を採用したりしている。
【００３４】
そして、ガイド壁４１を、転写具本体１から転写端４０ａに至るまで起立寸法を漸次低く形成しているものとすることにより、転写端４０ａに近接した位置において移動し易い構成として好適に修正テープＴを案内し得るともに、テープｔが幅方向へ大きくずれる場合においては転写ヘッド４の基端側においてテープｔを有効にガイドし得るものとなっている。
【００３５】
他方、転写端４０ａを通過したテープｔを再び転写具本体１へ正確に収容するために本実施形態では、転写ヘッド４に、転写端４０ａから転写具本体１に至るまでの修正テープＴの幅方向の移動を規制し得る収容ガイド部４３を設けている。
【００３６】
転写具本体１を、転写ヘッド４に至るまでの修正テープＴを所定角度旋回保持し得る旋回支持部を有する構成を採用している場合には、テープｔを旋回させているために幅方向への移動の際にテープｔに皺を生じさせやすいものとなるが、斯かる構成を有する転写具に対しても、本発明に係る転写具は、好適に修正テープＴの幅方向への移動を案内し得るものとしている。
＜第二実施形態＞
続いて、本発明の第二実施形態について詳述する。なお、本実施形態において上記第一実施形態と同様の構成要素については同じ符合を付して詳細な説明を省略するものとする。
【００３７】
係る実施形態に係る転写具Ａは、上記実施形態と同様に、転写具本体１と、ヘッド本体４０、ガイド壁４１を具備している転写ヘッド４を有するものである。
【００３８】
そして本実施形態に係る転写具Ａは、図９乃至図１２に示すように、上述の構成に加え、転写ヘッド４が、テープｔすなわち転写テープＴの裏面側からガイド壁４１に連続し、転写テープＴの幅方向の移動をガイド壁４１を越えて案内し得る助長面４２ａを有することを特徴とするものである。
【００３９】
具体的に説明すると、助長面４２ａは、転写ヘッド４の先端側になるにつれて、転写テープＴの裏面側を支持する寸法を、転写具本体１側から転写端４０ａ側に至るまで漸次大きく設定することにより、転写端４０ａ側を底辺とする平面視三角形状の迫出し縁４２ａ１を形成しているものである。
【００４０】
次に、本実施形態において修正剤ｓを転写する際の挙動について、図１０に示して説明する。
【００４１】
まず、図１０（ａ）においては、通常の転写動作を示している。この場合、修正テープＴは両端のガイド壁４１の間を通過することにより、直線状に転写されている。特に同図において、修正テープＴは助長面の迫出し縁４２ａ１を常に乗り越えている状態となっている。そして、同図（ｂ）において、例えば手指の動きや手首のスナップ動作などにより修正剤ｓの転写中に転写具本体１の向きが一方向にゆがんだ場合を示す。このように、修正テープＴは転写ヘッド４における幅方向中央から若干寸法ずれて一方のガイド壁４１の方向へ移動することとなるが、本実施形態では助長面の迫出し縁４２ａ１から修正テープＴが助長面全体に掛けて徐々に乗り越えていく事によってガイド壁４１を乗り越える事により、修正テープＴの側端縁がガイド壁４１に衝突することを有効に回避している。そうすることにより、修正テープＴには皺はよじれが起こることなく、図示の通り正常すなわち帯状に正確に修正剤ｓを転写し得るものとなっている。勿論、同図（ｃ）において反対方向に転写具本体１の向きがゆがんだ場合であっても同様に、修正剤ｓを正確な帯状に転写し得るものとなっている。なお図示の態様では修正テープＴが助長面の一部にのみ乗り上げた態様を図示しているが、ガイド壁４１の頂面である当該助長面に完全に乗り上げたとしても同図に図示した態様と同様に修正剤ｓを正確な帯状に転写し得るものとなっている。
【００４２】
以上のような構成とすることにより本発明の第二実施形態に係る転写具Ａは、上記第一実施形態と同様に、使用者が転写する動作を行う際の軽微なずれや曲りはガイド壁にテープの側端を当接させて安定して転写具Ａの動きを誘導するとともに、一定以上のずれや曲りが生じた場合には修正テープＴを助長面４２ａへ一時的に案内することにより、修正剤ｓがずれた形で転写されることや、修正テープＴ或いはテープｔ自体に皺を生じた状態で修正剤ｓを転写してしまう、といったことを有効に回避することができる。
【００４３】
また本実施形態では、助長面４２ａが転写テープＴの裏面側を支持する寸法を、転写具本体１側から転写端４０ａ側に至るまで漸次大きく設定するものとしている。具体的には、斯かる助長面４２ａを、転写テープＴの裏面側を支持し転写端４０ａ側を底辺とする平面視三角形状の迫出し縁４２ａ１を形成することにより、転写テープＴが助長面４２ａに好適に乗り上げ得る構成を実現している。
【００４４】
そして同実施形態の変形例として、図１１に示すように助長面４２ａｒとして凹状にへこませた湾曲面すなわちアール面としたり、図１２に示すように、凸状に隆起させながら湾曲させた助長面４２ａｒ１としたりすることにより、よりスムーズに修正テープＴを案内し得る構成としてもよい。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記各実施形態は、修正剤を転写するためのいわゆる横引き式の転写具に本発明を適用したものであるが、本発明は上記各実施形態に限られるものではない。
【００４７】
＜変形例＞
図１３及び図１４に示すような転写具Ａ１に、本発明を採用することが可能である。なお当該変形例においても上記実施形態と同様の構成のものは同じ符合を付して、その詳細な説明を省略している。
【００４８】
この本発明の変形例として示す転写具Ａ１は、転写物として、例えば粘着剤を採用しているとともに、転写具本体１内で転写テープを旋回させることなく転写する態様、すなわち縦引きと呼ばれるものである。また同変形例において、転写端として転写ローラ４０ｒを採用する事により、スムーズな転写を可能としている。ここで特に、図１４（ｃ）に示すように、転写ヘッド４ｂに傾斜案内面４２ｂを形成することにより、上記各実施形態と同様に、転写テープがガイド壁４１を好適に乗り越え得る構成となり、好適な転写を行うことが可能なものとなっている。
【００４９】
その他、各部の具体的構成についても上記実施形態に限られるものではない、例えば、上記第一実施形態における傾斜案内面は転写端に近接するにつれ幅方向を大きく設定するものとしたが、斯かる構成に加えて、転写端に近接するに従い傾斜案内面が傾斜する角度を暫時小さく設定したものであってもよい。その他、本発明の趣旨を逸脱しない範囲で種々変形が可能である。
【図面の簡単な説明】
【００５０】
【図１】本発明の第一実施形態に係る転写具の使用態様を示す外観図。
【図２】同実施形態に係る他の外観図。
【図３】同実施形態に係る転写具の内部を模式的に示す図。
【図４】同実施形態に係る要部を示す斜視図。
【図５】同実施形態に係る要部拡大図。
【図６】同実施形態に係る作用説明図。
【図７】同実施形態の変形例に係る要部拡大図。
【図８】同上。
【図９】本発明の第二実施形態に係る要部拡大図。
【図１０】同実施形態に係る作用説明図。
【図１１】同実施形態の変形例に係る要部拡大図。
【図１２】同上。
【図１３】本発明の変形例に係る外観図。
【図１４】同変形例に係る要部を示す図。
【図１５】本発明の背景技術に係る模式的な説明図。
【符号の説明】
【００５１】
１…転写具本体
１０…旋回支持部。
【００５２】
２１…テープ収容部（巻取軸部）
４…転写ヘッド
４０…ヘッド本体
４０ａ、４０ｒ…転写端
４１…ガイド壁
４２、４２ｂ、４２ｒ、４２ｒ１…傾斜案内面
４２ａ、４２ａｒ、４２ａｒ１…助長面
４２ａ１…迫出し縁
４３…収容ガイド部
Ａ…転写具。
【００５３】
Ｐ…紙、転写対象物
ｓ…転写物（修正剤）
ｔ…テープ
Ｔ…転写テープ（修正テープ）
【図１】
2008162050.tif 000003
【図２】
2008162050.tif 000004
【図３】
2008162050.tif 000005
【図４】
2008162050.tif 000006
【図５】
2008162050.tif 000007
【図６】
2008162050.tif 000008
【図７】
2008162050.tif 000009
【図８】
2008162050.tif 000010
【図９】
2008162050.tif 000011
【図１０】
2008162050.tif 000012
【図１１】
2008162050.tif 000013
【図１２】
2008162050.tif 000014
【図１３】
2008162050.tif 000015
【図１４】
2008162050.tif 000016
【図１５】
2008162050.tif 000017